(57)【要約】      （修正有）【課題】ベッド収納部の面積を他の部屋の床面積として使え、かつ布団収納部も積層配置して他の部屋の床面積に含めることができる部屋構造を備えた集合住宅を提供する。【解決手段】リビングルーム１１と同一面の床４３を有し可動仕切４５によりリビングルーム１１に開放可能に仕切られる洋室１３と、洋室１３に仕切壁４９を介して隣接し同一面の床４３を有するとともにこの床４３より高い高床５１を有し仕切壁以外の壁部５３に出入口部５５を備える収納部屋１５と、高床５１と床４３との間に画成され仕切壁４９に形成される引出開口部７３を有して洋室１３に開口するベッド収納部１７と、引出開口部７３を塞ぐボードを有しボードを引き出してベッド収納部１７から洋室１３へ走行移動されるベッド１９と、ベッド収納部１７より上方の仕切壁４９に開閉扉８９が設けられ収納部屋１５では高床５１より高いカウンタ用箱体９１を外殻として形成する布団収納部２１と、を設けた。【選択図】図２
0003227089.tif 000002
【実用新案登録請求の範囲】
【請求項１】
リビングルームと、
前記リビングルームの床と連続した同一面の床を有し、可動仕切により前記リビングルームに開放可能に仕切られる洋室と、
前記洋室に仕切壁を介して隣接し前記床と同一面の床を有するとともに、この床より高い高床を有し前記仕切壁以外の壁部に出入口部を備える収納部屋と、
前記高床と前記床との間に画成され、前記仕切壁の下部が除去されて形成される引出開口部を有して前記洋室に開口するベッド収納部と、
前記引出開口部を塞ぐボードを有し、前記ボードを引き出して前記ベッド収納部から前記洋室へ走行移動されるベッドと、
前記ベッド収納部より上方の前記仕切壁に開閉扉が設けられ、前記収納部屋では前記高床より高いカウンタ用箱体を外殻として形成する布団収納部と、
を具備することを特徴とする集合住宅の部屋構造。
【請求項２】
請求項１に記載の集合住宅の部屋構造であって、
前記収納部屋の前記床には、前記ベッドの下面に設けられた複数の車輪を走行方向に案内する平行な一対のガイドレールが、前記ベッドを挟む両側に固定され、
前記収納部屋の前記高床には、前記ベッド収納部に通じる点検口が設けられていることを特徴とする集合住宅の部屋構造。
【請求項３】
請求項１または２に記載の集合住宅の部屋構造であって、
前記仕切壁には開閉自在な採光窓が設けられることを特徴とする集合住宅の部屋構造。
【請求項４】
請求項１〜３のいずれか１つに記載の集合住宅の部屋構造であって、
前記収納部屋の出入口部には、前記床よりも高く前記高床よりも低い中間床を有する洗面室が前記壁部を介して隣接することを特徴とする集合住宅の部屋構造。
【考案の詳細な説明】
【技術分野】
【０００１】
本考案は、集合住宅の部屋構造に関する。
【背景技術】
【０００２】
ベッドを収納して、設置場所を他の用途にも使用できるようにした種々の提案がなされている。例えば特許文献１の収納式ベッドは、ベッドの頭側端部を壁面の収納凹部の両壁に、横軸で取り付け、不使用時はその横軸を中心にしてベッドを回動起立させることにより、ベッドを収納凹部に収め得るようにしている。特許文献２の引出しベッド付き壁面収納家具は、家具本体の下部に、ベッドの長手方向を家具の横方向に向けて収容し得る幅と高さ及び奥行寸法を有する開口空間を形成し、ベッド全体を家具本体下部の開口空間から前方に引出せるように収納している。また、特許文献３の引戸付ベッド収納区画及び可動式収納ベッドは、上段を適宜のクローゼット等とした収納室において、ベッド収納区画の短手方向側面壁の一方を開放し、床前面にガイドレールを設け、ベッド本体の下面四隅にブレーキ付キャスターを配設し、引戸用レールに引戸を嵌装している。
【先行技術文献】
【特許文献】
【０００３】
【特許文献１】実開昭６１−６６５６１号公報
【特許文献２】実開昭６１−２０２２４５号公報
【特許文献３】特開平１０−１７９３３３号公報
【考案の概要】
【考案が解決しようとする課題】
【０００４】
しかしながら、特許文献１の収納式ベッドは、大きなベッドを回動起立させる必要があり、使い勝手が悪いのに加え、掛け布団などの寝具類を収納するスペースを別途設ける必要がある。また、特許文献２のベッド付き壁面収納家具、特許文献３の引戸付ベッド収納区画及び可動式収納ベッドは、家具の下部にベッドを収めるため、大型の家具を設置する面積を部屋に確保しなければならず、レイアウトがしづらい。また、家具を設置することによる占有面積が他に利用可能な床面積から減る点では、ベッドを設置するのと変わりがない。
【０００５】
本考案は上記状況に鑑みてなされたもので、その目的は、ベッド収納部の面積を他の部屋の床面積として使え、かつ布団収納部も積層配置して他の部屋の床面積に含めることができる集合住宅の部屋構造を提供することにある。
【課題を解決するための手段】
【０００６】
次に、上記の課題を解決するための手段を、実施の形態に対応する図面を参照して説明する。
本考案の請求項１記載の集合住宅の部屋構造は、リビングルーム１１と、
前記リビングルーム１１の床４３と連続した同一面の床４３を有し、可動仕切４５により前記リビングルーム１１に開放可能に仕切られる洋室１３と、
前記洋室１３に仕切壁４９を介して隣接し前記床４３と同一面の床４３を有するとともに、この床４３より高い高床５１を有し前記仕切壁以外の壁部５３に出入口部５５を備える収納部屋１５と、
前記高床５１と前記床４３との間に画成され、前記仕切壁４９の下部が除去されて形成される引出開口部７３を有して前記洋室１３に開口するベッド収納部１７と、
前記引出開口部７３を塞ぐボード７９を有し、前記ボード７９を引き出して前記ベッド収納部１７から前記洋室１３へ走行移動されるベッド１９と、
前記ベッド収納部１７より上方の前記仕切壁４９に開閉扉８９が設けられ、前記収納部屋１５では前記高床５１より高いカウンタ用箱体９１を外殻として形成する布団収納部２１と、
を具備することを特徴とする。
【０００７】
この集合住宅の部屋構造では、洋室１３が、可動仕切４５により、リビングルーム１１に開放可能となる。洋室１３は、仕切壁４９を隔てて収納部屋１５と隣接する。リビングルーム１１、洋室１３および収納部屋１５は、同一面の床４３を有する。収納部屋１５は、この床４３に加え、この床４３より高い高床５１を有する。収納部屋１５は、床４３と、高床５１との間にベッド収納部１７が画成される。ベッド収納部１７には、ベッド１９が収納される。ベッド１９は、収納部屋１５の床下に収納されるので、ベッド１９の収容に必要な占有面積が、他に利用可能な床面積から減じられることがない。ベッド１９は、引出開口部７３を塞ぐボード７９を有する。ベッド１９は、このボード７９を引き出して、ベッド収納部１７から洋室１３へ走行移動可能となる。これに加え、ベッド収納部１７より上方の仕切壁４９には、布団収納部２１の開閉扉８９が設けられる。布団収納部２１は、収納部屋１５において、高床５１より高いカウンタ用箱体９１を外殻として形成する。布団収納部２１は、積層配置されることにより収納部屋１５の床面積に含めることができる。
このように、集合住宅の部屋構造では、リビングルーム１１に隣接する洋室１３が、同じ床面で構成され、開放した際には１つの部屋のように使える。そして、洋室１３の仕切壁４９にはベッド収納部１７が開口するので、ベッド１９を隠すことができる。
一方、洋室１３は、可動仕切４５によりリビングルーム１１との境を閉ざすことで寝室となる。
また、洋室１３は、ベッド１９を収納することにより、洗濯物を干すスペースとしても利用できる。すなわち、ベッド１９を収納することにより、ベッド１９が邪魔にならずに、使い勝手の良い十分な物干しスペースを確保できる。また、その際、可動仕切４５により洗濯物が干された洋室１３をリビングルーム１１から隠すこともできる。
【０００８】
本考案の請求項２記載の集合住宅の部屋構造は、請求項１に記載の集合住宅の部屋構造であって、
前記収納部屋１５の前記床４３には、前記ベッド１９の下面に設けられた複数の車輪９３を走行方向に案内する平行な一対のガイドレール９５が、前記ベッド１９を挟む両側に固定され、
前記収納部屋１５の前記高床５１には、前記ベッド収納部１７に通じる点検口９７が設けられていることを特徴とする。
【０００９】
この集合住宅の部屋構造では、ベッド１９の車輪９３を案内するガイドレール９５が、ベッド収納部１７の床４３に設けられる。ベッド１９は、走行方向がガイドレール９５に沿うので、ベッド収納部１７から洋室１３、および洋室１３からベッド収納部１７への移動が直線方向に規制される。これにより、多段伸縮レール等の複雑なレール構造を採用することなく、ベッド１９の円滑な出し入れを可能にできる。また、収納部屋１５の高床５１に点検口９７が設けられることにより、点検口９７からベッド収納部１７の内部を覗くことや、内部へのアクセスも可能にできる。
【００１０】
本考案の請求項３記載の集合住宅の部屋構造は、請求項１または２に記載の集合住宅の部屋構造であって、
前記仕切壁４９には開閉自在な採光窓７５が設けられることを特徴とする。
【００１１】
この集合住宅の部屋構造では、採光窓７５から、リビングルーム１１や洋室１３からの光を、収納部屋１５に取り込むことが可能となる。また、採光窓７５を開放することにより、洋室１３の窓４１、収納部屋１５の出入口部５５との間に自然風を通すことが可能となり、洋室１３および収納部屋１５に空気がこもらなくなる。
【００１２】
本考案の請求項４記載の集合住宅の部屋構造は、請求項１〜３のいずれか１つに記載の集合住宅の部屋構造であって、
前記収納部屋１５の出入口部５５には、前記床４３よりも高く前記高床５１よりも低い中間床６３を有する洗面室３５が前記壁部５３を介して隣接することを特徴とする。
【００１３】
この集合住宅の部屋構造では、収納部屋１５に、壁部５３を介して洗面室３５が隣接して配置される。壁部５３には、洗面室３５から収納部屋１５へ出入りするための出入口部５５が設けられる。ここで、洗面室３５の中間床６３は、床４３よりも高く、収納部屋１５の高床５１よりも低い。これにより、収納部屋１５は、床４３からの高さを分割できる。これに加え、洗面室３５を中間床６３として、床４３よりも高くしたので、中間床６３と床４３との間に、水回りの配管スペースを確保できる。さらに、採光窓７５からの風を、収納部屋１５の出入口部５５を介して水回りの多い洗面室３５に通せるようにもなる。
【考案の効果】
【００１４】
本考案に係る請求項１記載の集合住宅の部屋構造によれば、リビングルームに隣接する洋室が、同じ床面で構成され、可動仕切を開放した際には連続した１つの部屋のように使うことができる。そして、洋室の仕切壁にはベッド収納部が開口するので、このベッド収納部内にベッドを隠すことができる。また、洋室は、可動仕切によりリビングルームとの境を閉ざすことで区画され独立した部屋となり寝室とすることができる。さらに、洋室は、ベッドを収納することにより、洗濯物を干すスペースとしても利用できる。すなわち、ベッドを収納することにより、ベッドが邪魔にならずに、使い勝手の良い十分な物干しスペースを確保できる。また、その際、可動仕切により洗濯物が干された洋室をリビングルームから隠すこともできる。さらに、ベッド収納部が収納部屋の床下であることで、その面積を床面積として使うことができ、かつ布団収納部も積層配置して他の部屋の床面積に含めることができる。このことから、部屋内の間取りとして寝室兼洋室を構成でき、部屋全体の間取りをコンパクトに構成できる。
【００１５】
本考案に係る請求項２記載の集合住宅の部屋構造によれば、ベッドの引き出しおよび収納を容易にでき、点検口からベッド収納部に落下した物の取り出しも容易にできる。
【００１６】
本考案に係る請求項３記載の集合住宅の部屋構造によれば、収納部屋に光を採り入れることができるのに加え、風通し（換気）も良好にできる。
【００１７】
本考案に係る請求項４記載の集合住宅の部屋構造によれば、床と、収納部屋の高床との高さを分割できるのに加え、洗面室床下に、水回り配管用の配管スペースも確保でき、水回りの通気性も良好にすることができる。
【図面の簡単な説明】
【００１８】
【図１】本考案の実施形態に係る集合住宅の部屋構造を有した間取りの平面図である。
【図２】図１の要部拡大図である。
【図３】図２に示した間取りの概略斜視図である。
【図４】仕切壁を洋室側から見た正面図である。
【図５】ベッドの長尺方向に直交する方向の断面図である。
【図６】（ａ）はベッドの下面図、（ｂ）はベッドの側面図である。
【図７】洋室、収納部屋および洗面室の縦断面図である。
【図８】（ａ）は図７のＡ−Ａ断面図、（ｂ）は図７のＢ−Ｂ断面図、（ｃ）は図７のＣ−Ｃ断面図である。
【考案を実施するための形態】
【００１９】
以下、本考案に係る実施形態を図面を参照して説明する。
図１は、本考案の実施形態に係る集合住宅の部屋構造を有した間取りの平面図である。
本実施形態に係る集合住宅の部屋構造は、リビングルーム１１と、洋室１３と、収納部屋１５と、ベッド収納部１７と、ベッド１９と、布団収納部２１とを主要な構成として有する。
【００２０】
リビングルーム１１は、玄関扉２３により開閉される玄関２５に、ほぼ直線状の廊下２７が接続される。リビングルーム１１は、玄関２５から最も奥側のこの廊下２７の先に配置される。この間取りは、廊下２７を挟んで一方の側方に、玄関側よりトイレ２９、キッチン３１、リビングルーム１１が順に配置される。また、廊下２７を挟んで他方の側方には、玄関側より浴室３３、洗面室３５、収納部屋１５、洋室１３が順に配置される。この間取りは、図１に示すように、左右が反転された間取りとして、躯体の隔壁３７を挟んでほぼ線対称に配置することができる。なお、図中右側の間取りには、左側の間取りに無い出窓３９が設けられる。
【００２１】
廊下２７は、延長方向の終端がリビングルーム１１の窓４１となる。従って、玄関扉２３と窓４１が開放されれば、玄関２５からリビングルーム１１を自然風が通り抜け可能となる。これにより、新鮮空気の換気が迅速に可能となっている。
【００２２】
図２は、図１の要部拡大図である。
洋室１３は、リビングルーム１１の床４３と同一面の床４３を有する。洋室１３は、可動仕切４５によりリビングルーム１１に開放可能に仕切られる。可動仕切４５は、例えば上吊り戸である。このため、リビングルーム１１と洋室１３との境の床４３にレールなどが無い。これにより、リビングルーム１１と洋室１３は、可動仕切４５が開放されると、連続した１つの部屋となる。洋室窓４７は、可動仕切４５により仕切られても洋室１３のみを外部へ開放可能とする。
【００２３】
収納部屋１５は、洋室１３に仕切壁４９を介して隣接して設けられる。収納部屋１５は、ウォークインクローゼットとも称すことができる。収納部屋１５は、洋室１３の床４３と同一面の床４３を有するとともに、この床４３より高い高床５１を有する。そして、収納部屋１５は、仕切壁以外の壁部５３に、出入口部５５を備える。出入口部５５は、例えば洋室１３と反対側の壁部５３に設けられている。
【００２４】
収納部屋１５には、衣類５７（図７）を掛けるハンガー用のパイプ５９が設けられる。また、収納部屋１５の内壁面には、姿見６１が設けられる。これにより、着替え時の服装確認が効率よく行えるようになされている。
【００２５】
収納部屋１５の出入口部５５には、床４３よりも高く、高床５１よりも低い中間床６３を有する洗面室３５が壁部５３を介して隣接する。洗面室３５には、洗濯機６５や洗面台６７が配置される。仕切壁４９に設けられる収納部屋１５への出入口部５５には、スライドドア６９が設けられる。洗面室３５には、廊下２７から出入りするための扉７１が設けられる。従って、収納部屋１５へは、廊下２７から洗面室３５を介して出入りが可能となっている。
【００２６】
図３は、図２に示した間取りの概略斜視図である。
ベッド収納部１７は、収納部屋１５における高床５１と床４３との間に画成される。ベッド収納部１７は、仕切壁４９の下部が除去されて形成される引出開口部７３を有する。ベッド収納部１７は、この引出開口部７３を介して洋室１３に開口する。
【００２７】
また、仕切壁４９には、開閉自在な採光窓７５が設けられる。これにより、収納部屋１５と洋室１３とには、洗面室３５から洋室窓４７の間を自然風が通るようになされている。なお、収納部屋１５には、図示しないが換気扇が設けられることが好ましい。これにより、収納部屋１５は、より湿気がこもりにくくなっている。
【００２８】
洗面室３５は、床４３と同一面である廊下２７から例えば２１０ｍｍ高のステップ７７を有する。洗面室３５の中間床６３は、床４３から例えば４２０ｍｍの高さに設定される。さらに、収納部屋１５の高床５１は、洗面室３５の中間床６３よりも例えば２１０ｍｍ高く設定されている。従って、収納部屋１５の高床５１は、床４３から６３０ｍｍの高さで設けられている。なお、これらの床高は、一例である。
【００２９】
図４は、仕切壁４９を洋室側から見た正面図である。
ベッド１９は、引出開口部７３を塞ぐボード７９を有している。このボード７９は、例えばベッド１９のヘッドボードとなる。ベッド１９は、ボード７９をつかみ、引き出すことにより、ベッド収納部１７から洋室１３へ走行移動が可能となっている。ヘッドボードは、ベッド収納部１７の蓋のようになる。ヘッドボードには、ベッド１９を収納する際に、指を挟まないようにするための好ましい隙間および隙間隠し材（ゴム片等）が、引出開口部７３との間に設定されている。
【００３０】
ベッド１９は、一対のボード７９と、一対のサイドパネル８１（図５）により矩形枠状に形成されるベッド本体８３（図５）に、畳を載置することができる。ベッド１９は、その畳の上に布団を敷くことができる。また、ベッド１９は、畳に代えて底板８５（図５）を備え、その底板８５の上にマット８７（図５）、布団などを載せてもよい。
【００３１】
ベッド１９は、畳ベッドとすることにより、薄いマット８７、敷布団、掛布団等をおいたまま、収納することが可能となる。厚みの大きいマット８７を使用したい場合には、掛布団を布団収納部２１にしまえば、ベッド１９をマット８７とともにベッド収納部１７へ収納することが可能となる。
【００３２】
集合住宅の部屋構造では、畳を載置したベッド１９とすることにより、洋室１３をリビングルーム１１に開放した際、布団を除いてリビングルーム１１の隅に、小上がりとなって座敷コーナーを作ることができる。すなわち、畳敷きベッド１９は、簡単に座敷コーナーを作ることができ、座卓や炬燵等の設置にも利用が可能となる。また、子供の遊戯スペース、仮眠コーナーとすることも可能である。
【００３３】
ベッド収納部１７より上方の仕切壁４９には、開閉扉８９が設けられる。この開閉扉８９は、布団収納部２１を開閉する。布団収納部２１は、収納部屋１５において、高床５１より高いカウンタ用箱体９１（図３、図７）を外殻として形成する。
【００３４】
図５は、ベッド１９の長尺方向に直交する方向の断面図である。
収納部屋１５の床４３には、ベッド１９の下面に設けられた複数の車輪９３を走行方向に案内する一対の平行なガイドレール９５が固定される。一対のガイドレール９５は、ベッド１９を挟む両側に、ベッド１９のサイドパネル８１に平行となって配置される。ベッド１９は、ガイドレール９５に沿ってスムーズな引き出しおよび収納が可能となる。なお、このガイドレールは、床４３ではなく、ベッド収納部１７内における内側壁面に設けることとしてもよく、その場合はベッド１９のサイドパネル８１を支持、案内する構成とする。
【００３５】
図６（ａ）はベッド１９の下面図、図６（ｂ）はベッド１９の側断面図である。
ベッド１９の下面には、例えば左右一対の車輪９３が、走行方向に三対の合計６個が取り付けられる。車輪９３は、直進用とすることができるが、旋回可能なものが取り付けられてもよい。なお、車輪９３の数、取付位置、旋回機能の有無等は、これに限定されない。
【００３６】
図７は、洋室１３、収納部屋１５および洗面室３５の縦断面図である。
洋室１３は、廊下２７に沿う方向の長さが、ベッド１９の長手方向の長さよりも大きく形成され、ベッド１９の出し入れ操作が容易となっている。ベッド収納部１７は、廊下２７に沿う方向の長さが、ベッド１９の長手方向の長さとほぼ同じで、ベッド１９が収納可能となる長さで形成される。そして、収納部屋１５の高床５１には、ベッド収納部１７に通じる点検口９７が設けられる（図２参照）。これにより、ベッド収納部１７は、収納部屋１５の高床５１の上から、点検口９７を介してアクセスが可能となる。
【００３７】
図８（ａ）は図７のＡ−Ａ断面図、図８（ｂ）は図７のＢ−Ｂ断面図、図８（ｃ）は図７のＣ−Ｃ断面図である。
収納部屋１５は、布団収納部２１の上部において、仕切壁４９に採光窓７５が配置される。収納部屋１５は、採光窓７５より下方の仕切壁４９に布団収納部２１が配置される。収納部屋１５の高床５１の中央には、点検口９７が配置される。高床５１は、ベッド１９を挟む両側に設けられた複数の束部材９９により根太１０１（図７）を介して支持される。
【００３８】
次に、上記した構成の作用を説明する。
【００３９】
本実施形態に係る集合住宅の部屋構造では、洋室１３が、可動仕切４５により、リビングルーム１１に対して開放可能となる。洋室１３は、可動仕切４５を閉めれば、個室となり、可動仕切４５を開ければ、リビングルーム１１の一部分となる。
【００４０】
洋室１３は、仕切壁４９を隔てて収納部屋１５と隣接する。リビングルーム１１、洋室１３および収納部屋１５は、同一面の床４３を有する。収納部屋１５は、この床４３に加え、この床４３より高い高床５１を有する。収納部屋１５は、仕切壁以外の壁部５３に出入口部５５を備え、この出入口部５５から高床５１上に出入りして利用が可能となる。
【００４１】
ここで、収納部屋１５は、床４３と、高床５１との間にベッド収納部１７が画成される。すなわち、収納部屋１５は、高床５１の下が、ベッド収納部１７となっている。ベッド収納部１７は、仕切壁４９の下部が除去されて形成される引出開口部７３を介して洋室１３に開口する。
【００４２】
ベッド収納部１７には、ベッド１９が収納される。ベッド１９は、収納部屋１５の床下に収納されるので、ベッド１９の収容に必要な占有面積が、他に利用可能な床面積（この構成では収納部屋１５の床面積）から減じられることがない。つまり、収納部屋１５の高床面積は、ベッド収納部１７の面積を立体的に利用して確保されている。
【００４３】
集合住宅の部屋構造では、ベッド１９が収納できることにより、本来、ベッド１９の設置により寝る以外何もできなかった部屋、すなわち寝室として限定されてしまう部屋が、寝る時以外にも有効活用できるようになる。
【００４４】
ベッド１９は、引出開口部７３を塞ぐボード７９を有する。ベッド１９は、このボード７９を引き出して、ベッド収納部１７から洋室１３へ走行移動可能となる。
【００４５】
これに加え、ベッド収納部１７より上方の仕切壁４９には、布団収納部２１の開閉扉８９が設けられる。この布団収納部２１へは、開閉扉８９を開くことにより、洋室１３から寝具類の出し入れが可能となる。布団収納部２１は、収納部屋１５において、高床５１より高いカウンタ用箱体９１を外殻として形成する。すなわち、布団収納部２１は、収納部屋１５においては、高床面に直置きしたくないバッグ１０３等（図７）を上面に載置できるカウンタ用箱体９１となる。この布団収納部２１は、高床５１の上に積層配置されるので収納部屋１５の床面積に含めることができる。
【００４６】
このように、集合住宅の部屋構造では、リビングルーム１１に隣接する洋室１３が、同じ床面で構成され、開放した際には１つの部屋のように使える。一方、洋室１３は、可動仕切４５によりリビングルーム１１との境を閉ざすことで別室となり、寝室となる。そして、洋室１３の仕切壁４９にはベッド収納部１７が開口するので、洋室１３を寝室として使用した際のベッド１９を容易に隠すことができる。
【００４７】
また、洋室１３は、ベッド１９を収納することにより、洗濯物を干すスペースとしても利用できる。すなわち、ベッド１９を収納することにより、ベッド１９が邪魔にならずに、使い勝手の良い十分な物干しスペースを確保できる。多量の洗濯物が干せる。布団も干すことができるようになる。ベッド１９の上で物を干した場合、干しづらさがある。これに対し、本考案の集合住宅の部屋構造によれば、ベッド１９を仕舞えることで、干しやすくなる。また、その際、可動仕切４５により洗濯物が干された洋室１３をリビングルーム１１から隠すこともできる。
【００４８】
さらに、洋室１３は、ベッド１９を収納することにより、敷マット等を広げて、洋室床面全体を子供の運動スペースとしても利用が可能となる。
【００４９】
集合住宅の部屋構造では、洋室１３、寝室、収納部屋１５という別々のレイアウトを、平面配置ではなく、立体的にまとめるので、収納部屋１５のスペースを十分に確保できる。その際、ベッド１９のみを収納する従来構成に比べ、掛け布団や枕などの寝具類の収納部分も同時に確保できる。従って、集合住宅の部屋構造では、間取りとしてコンパクトながら、広いリビングルーム１１、寝室兼洋室、収納部屋１５を配置でき、使い勝手の良いものとすることができる。
【００５０】
そして、この集合住宅の部屋構造では、ベッド１９の車輪９３を案内するガイドレール９５が、ベッド収納部１７の床４３に設けられる。ベッド１９は、走行方向がガイドレール９５に沿うので、ベッド収納部１７から洋室１３、および洋室１３からベッド収納部１７への移動が直線方向に規制される。これにより、多段伸縮レール等の複雑なレール構造を採用することなく、ベッド１９の円滑な出し入れを可能にできる。また、収納部屋１５の高床５１に点検口９７が設けられることにより、点検口９７からベッド収納部１７の内部を覗くことや、内部へのアクセスも可能にできる。その結果、ベッド１９の引き出しおよび収納を容易にでき、ベッド収納部１７に落下した物の取り出しも容易にできる。
【００５１】
また、この集合住宅の部屋構造では、採光窓７５から、リビングルーム１１や洋室１３からの光を、収納部屋１５に取り込むことが可能となる。採光窓７５を開放することにより、洋室１３の窓４１、収納部屋１５の出入口部５５との間に自然風を通すことが可能となり、洋室１３および収納部屋１５に空気がこもらなくなる。その結果、収納部屋１５に光を採り入れることができるのに加え、風通し（換気）も良好にできる。
【００５２】
さらに、この集合住宅の部屋構造では、収納部屋１５に、壁部５３を介して洗面室３５が隣接して配置される。壁部５３には、洗面室３５から収納部屋１５へ出入りするための出入口部５５が設けられる。ここで、洗面室３５の中間床６３は、床４３よりも高く、収納部屋１５の高床５１よりも低い。これにより、収納部屋１５は、床４３からの高さを分割できる。
【００５３】
これに加え、洗面室３５を中間床６３として、床４３よりも高くしたので、中間床６３と床４３との間に、水回りの配管スペースを確保できる。この場合、洗面室３５は、床４３のみの場合に比べ、中間床６３を設けたことにより、上下寸法を大きくとれるので、狭い面積であっても水勾配を確実に確保できるようになる。すなわち、洗面室３５の場合は、床４３を設ける必要がなく、中間床６３からスラブ１０５（図４、図７）までが床下の懐寸法となる。さらに、採光窓７５からの風を、収納部屋１５の出入口部５５を介して水回りの多い洗面室３５に通せるようにもなる。その結果、床４３と、収納部屋１５の高床５１との高さを分割できるのに加え、洗面室３５に、水回り配管用の配管スペースも十分に確保でき、水回りの通気性も良好にすることができる。
【００５４】
従って、本実施形態に係る集合住宅の部屋構造によれば、ベッド収納部１７の面積を他の部屋の床面積として使え、かつ布団収納部２１も積層配置して他の部屋の床面積に含めることができる。
【符号の説明】
【００５５】
１１…リビングルーム
１３…洋室
１５…収納部屋
１７…ベッド収納部
１９…ベッド
２１…布団収納部
３５…洗面室
４３…床
４５…可動仕切
４９…仕切壁
５１…高床
５３…壁部
５５…出入口部
６３…中間床
７３…引出開口部
７５…採光窓
７９…ボード
８９…開閉扉
９１…カウンタ用箱体
９３…車輪
９５…ガイドレール
９７…点検口
【図１】
0003227089.tif 000003
【図２】
0003227089.tif 000004
【図３】
0003227089.tif 000005
【図４】
0003227089.tif 000006
【図５】
0003227089.tif 000007
【図６】
0003227089.tif 000008
【図７】
0003227089.tif 000009
【図８】
0003227089.tif 000010
【手続補正書】
【提出日】令和2年4月24日(2020.4.24)
【手続補正１】
【補正対象書類名】明細書
【補正対象項目名】全文
【補正方法】変更
【補正の内容】
【考案の詳細な説明】
【技術分野】
【０００１】
本考案は、集合住宅の部屋構造に関する。
【背景技術】
【０００２】
ベッドを収納して、設置場所を他の用途にも使用できるようにした種々の提案がなされている。例えば特許文献１の収納式ベッドは、ベッドの頭側端部を壁面の収納凹部の両壁に、横軸で取り付け、不使用時はその横軸を中心にしてベッドを回動起立させることにより、ベッドを収納凹部に収め得るようにしている。特許文献２の引出しベッド付き壁面収納家具は、家具本体の下部に、ベッドの長手方向を家具の横方向に向けて収容し得る幅と高さ及び奥行寸法を有する開口空間を形成し、ベッド全体を家具本体下部の開口空間から前方に引出せるように収納している。また、特許文献３の引戸付ベッド収納区画及び可動式収納ベッドは、上段を適宜のクローゼット等とした収納室において、ベッド収納区画の短手方向側面壁の一方を開放し、床前面にガイドレールを設け、ベッド本体の下面四隅にブレーキ付キャスターを配設し、引戸用レールに引戸を嵌装している。
【先行技術文献】
【特許文献】
【０００３】
【特許文献１】実開昭６１−６６５６１号公報
【特許文献２】実開昭６１−２０２２４５号公報
【特許文献３】特開平１０−１７９３３３号公報
【考案の概要】
【考案が解決しようとする課題】
【０００４】
しかしながら、特許文献１の収納式ベッドは、大きなベッドを回動起立させる必要があり、使い勝手が悪いのに加え、掛け布団などの寝具類を収納するスペースを別途設ける必要がある。また、特許文献２のベッド付き壁面収納家具、特許文献３の引戸付ベッド収納区画及び可動式収納ベッドは、家具の下部にベッドを収めるため、大型の家具を設置する面積を部屋に確保しなければならず、レイアウトがしづらい。また、家具を設置することによる占有面積が他に利用可能な床面積から減る点では、ベッドを設置するのと変わりがない。
【０００５】
本考案は上記状況に鑑みてなされたもので、その目的は、ベッド収納部の面積を他の部屋の床面積として使え、かつ布団収納部も積層配置して他の部屋の床面積に含めることができる部屋構造を備えた集合住宅を提供することにある。
【課題を解決するための手段】
【０００６】
次に、上記の課題を解決するための手段を、実施の形態に対応する図面を参照して説明する。
本考案の請求項１記載の集合住宅は、リビングルーム１１と、
前記リビングルーム１１の床４３と連続した同一面の床４３を有し、可動仕切４５により前記リビングルーム１１に開放可能に仕切られる洋室１３と、
前記洋室１３に仕切壁４９を介して隣接し前記床４３と同一面の床４３を有するとともに、この床４３より高い高床５１を有し前記仕切壁以外の壁部５３に出入口部５５を備える収納部屋１５と、
前記高床５１と前記床４３との間に画成され、前記仕切壁４９の下部が除去されて形成される引出開口部７３を有して前記洋室１３に開口するベッド収納部１７と、
前記引出開口部７３を塞ぐボード７９を有し、前記ボード７９を引き出して前記ベッド収納部１７から前記洋室１３へ走行移動されるベッド１９と、
前記ベッド収納部１７より上方の前記仕切壁４９に開閉扉８９が設けられ、前記収納部屋１５では前記高床５１より高いカウンタ用箱体９１を外殻として形成する布団収納部２１と、
を具備することを特徴とする部屋構造を備えている。
【０００７】
この集合住宅の部屋構造では、洋室１３が、可動仕切４５により、リビングルーム１１に開放可能となる。洋室１３は、仕切壁４９を隔てて収納部屋１５と隣接する。リビングルーム１１、洋室１３および収納部屋１５は、同一面の床４３を有する。収納部屋１５は、この床４３に加え、この床４３より高い高床５１を有する。収納部屋１５は、床４３と、高床５１との間にベッド収納部１７が画成される。ベッド収納部１７には、ベッド１９が収納される。ベッド１９は、収納部屋１５の床下に収納されるので、ベッド１９の収容に必要な占有面積が、他に利用可能な床面積から減じられることがない。ベッド１９は、引出開口部７３を塞ぐボード７９を有する。ベッド１９は、このボード７９を引き出して、ベッド収納部１７から洋室１３へ走行移動可能となる。これに加え、ベッド収納部１７より上方の仕切壁４９には、布団収納部２１の開閉扉８９が設けられる。布団収納部２１は、収納部屋１５において、高床５１より高いカウンタ用箱体９１を外殻として形成する。布団収納部２１は、積層配置されることにより収納部屋１５の床面積に含めることができる。
このように、集合住宅の部屋構造では、リビングルーム１１に隣接する洋室１３が、同じ床面で構成され、開放した際には１つの部屋のように使える。そして、洋室１３の仕切壁４９にはベッド収納部１７が開口するので、ベッド１９を隠すことができる。
一方、洋室１３は、可動仕切４５によりリビングルーム１１との境を閉ざすことで寝室となる。
また、洋室１３は、ベッド１９を収納することにより、洗濯物を干すスペースとしても利用できる。すなわち、ベッド１９を収納することにより、ベッド１９が邪魔にならずに、使い勝手の良い十分な物干しスペースを確保できる。また、その際、可動仕切４５により洗濯物が干された洋室１３をリビングルーム１１から隠すこともできる。
【０００８】
本考案の請求項２記載の集合住宅は、請求項１に記載の部屋構造を備えた集合住宅であって、
前記収納部屋１５の前記床４３には、前記ベッド１９の下面に設けられた複数の車輪９３を走行方向に案内する平行な一対のガイドレール９５が、前記ベッド１９を挟む両側に固定され、
前記収納部屋１５の前記高床５１には、前記ベッド収納部１７に通じる点検口９７が設けられていることを特徴とする。
【０００９】
この集合住宅の部屋構造では、ベッド１９の車輪９３を案内するガイドレール９５が、ベッド収納部１７の床４３に設けられる。ベッド１９は、走行方向がガイドレール９５に沿うので、ベッド収納部１７から洋室１３、および洋室１３からベッド収納部１７への移動が直線方向に規制される。これにより、多段伸縮レール等の複雑なレール構造を採用することなく、ベッド１９の円滑な出し入れを可能にできる。また、収納部屋１５の高床５１に点検口９７が設けられることにより、点検口９７からベッド収納部１７の内部を覗くことや、内部へのアクセスも可能にできる。
【００１０】
本考案の請求項３記載の集合住宅は、請求項１または２に記載の部屋構造を備えた集合住宅であって、
前記仕切壁４９には開閉自在な採光窓７５が設けられることを特徴とする。
【００１１】
この集合住宅の部屋構造では、採光窓７５から、リビングルーム１１や洋室１３からの光を、収納部屋１５に取り込むことが可能となる。また、採光窓７５を開放することにより、洋室１３の窓４１、収納部屋１５の出入口部５５との間に自然風を通すことが可能となり、洋室１３および収納部屋１５に空気がこもらなくなる。
【００１２】
本考案の請求項４記載の集合住宅は、請求項１〜３のいずれか１つに記載の部屋構造を備えた集合住宅であって、
前記収納部屋１５の出入口部５５には、前記床４３よりも高く前記高床５１よりも低い中間床６３を有する洗面室３５が前記壁部５３を介して隣接することを特徴とする。
【００１３】
この集合住宅の部屋構造では、収納部屋１５に、壁部５３を介して洗面室３５が隣接して配置される。壁部５３には、洗面室３５から収納部屋１５へ出入りするための出入口部５５が設けられる。ここで、洗面室３５の中間床６３は、床４３よりも高く、収納部屋１５の高床５１よりも低い。これにより、収納部屋１５は、床４３からの高さを分割できる。これに加え、洗面室３５を中間床６３として、床４３よりも高くしたので、中間床６３と床４３との間に、水回りの配管スペースを確保できる。さらに、採光窓７５からの風を、収納部屋１５の出入口部５５を介して水回りの多い洗面室３５に通せるようにもなる。
【考案の効果】
【００１４】
本考案に係る請求項１記載の部屋構造を備えた集合住宅によれば、リビングルームに隣接する洋室が、同じ床面で構成され、可動仕切を開放した際には連続した１つの部屋のように使うことができる。そして、洋室の仕切壁にはベッド収納部が開口するので、このベッド収納部内にベッドを隠すことができる。また、洋室は、可動仕切によりリビングルームとの境を閉ざすことで区画され独立した部屋となり寝室とすることができる。さらに、洋室は、ベッドを収納することにより、洗濯物を干すスペースとしても利用できる。すなわち、ベッドを収納することにより、ベッドが邪魔にならずに、使い勝手の良い十分な物干しスペースを確保できる。また、その際、可動仕切により洗濯物が干された洋室をリビングルームから隠すこともできる。さらに、ベッド収納部が収納部屋の床下であることで、その面積を床面積として使うことができ、かつ布団収納部も積層配置して他の部屋の床面積に含めることができる。このことから、部屋内の間取りとして寝室兼洋室を構成でき、部屋全体の間取りをコンパクトに構成できる。
【００１５】
本考案に係る請求項２記載の部屋構造を備えた集合住宅によれば、ベッドの引き出しおよび収納を容易にでき、点検口からベッド収納部に落下した物の取り出しも容易にできる。
【００１６】
本考案に係る請求項３記載の部屋構造を備えた集合住宅によれば、収納部屋に光を採り入れることができるのに加え、風通し（換気）も良好にできる。
【００１７】
本考案に係る請求項４記載の部屋構造を備えた集合住宅によれば、床と、収納部屋の高床との高さを分割できるのに加え、洗面室床下に、水回り配管用の配管スペースも確保でき、水回りの通気性も良好にすることができる。
【図面の簡単な説明】
【００１８】
【図１】本考案の実施形態に係る集合住宅の部屋構造を有した間取りの平面図である。
【図２】図１の要部拡大図である。
【図３】図２に示した間取りの概略斜視図である。
【図４】仕切壁を洋室側から見た正面図である。
【図５】ベッドの長尺方向に直交する方向の断面図である。
【図６】（ａ）はベッドの下面図、（ｂ）はベッドの側面図である。
【図７】洋室、収納部屋および洗面室の縦断面図である。
【図８】（ａ）は図７のＡ−Ａ断面図、（ｂ）は図７のＢ−Ｂ断面図、（ｃ）は図７のＣ−Ｃ断面図である。
【考案を実施するための形態】
【００１９】
以下、本考案に係る実施形態を図面を参照して説明する。
図１は、本考案の実施形態に係る集合住宅の部屋構造を有した間取りの平面図である。
本実施形態に係る集合住宅の部屋構造は、リビングルーム１１と、洋室１３と、収納部屋１５と、ベッド収納部１７と、ベッド１９と、布団収納部２１とを主要な構成として有する。
【００２０】
リビングルーム１１は、玄関扉２３により開閉される玄関２５に、ほぼ直線状の廊下２７が接続される。リビングルーム１１は、玄関２５から最も奥側のこの廊下２７の先に配置される。この間取りは、廊下２７を挟んで一方の側方に、玄関側よりトイレ２９、キッチン３１、リビングルーム１１が順に配置される。また、廊下２７を挟んで他方の側方には、玄関側より浴室３３、洗面室３５、収納部屋１５、洋室１３が順に配置される。この間取りは、図１に示すように、左右が反転された間取りとして、躯体の隔壁３７を挟んでほぼ線対称に配置することができる。なお、図中右側の間取りには、左側の間取りに無い出窓３９が設けられる。
【００２１】
廊下２７は、延長方向の終端がリビングルーム１１の窓４１となる。従って、玄関扉２３と窓４１が開放されれば、玄関２５からリビングルーム１１を自然風が通り抜け可能となる。これにより、新鮮空気の換気が迅速に可能となっている。
【００２２】
図２は、図１の要部拡大図である。
洋室１３は、リビングルーム１１の床４３と同一面の床４３を有する。洋室１３は、可動仕切４５によりリビングルーム１１に開放可能に仕切られる。可動仕切４５は、例えば上吊り戸である。このため、リビングルーム１１と洋室１３との境の床４３にレールなどが無い。これにより、リビングルーム１１と洋室１３は、可動仕切４５が開放されると、連続した１つの部屋となる。洋室窓４７は、可動仕切４５により仕切られても洋室１３のみを外部へ開放可能とする。
【００２３】
収納部屋１５は、洋室１３に仕切壁４９を介して隣接して設けられる。収納部屋１５は、ウォークインクローゼットとも称すことができる。収納部屋１５は、洋室１３の床４３と同一面の床４３を有するとともに、この床４３より高い高床５１を有する。そして、収納部屋１５は、仕切壁以外の壁部５３に、出入口部５５を備える。出入口部５５は、例えば洋室１３と反対側の壁部５３に設けられている。
【００２４】
収納部屋１５には、衣類５７（図７）を掛けるハンガー用のパイプ５９が設けられる。また、収納部屋１５の内壁面には、姿見６１が設けられる。これにより、着替え時の服装確認が効率よく行えるようになされている。
【００２５】
収納部屋１５の出入口部５５には、床４３よりも高く、高床５１よりも低い中間床６３を有する洗面室３５が壁部５３を介して隣接する。洗面室３５には、洗濯機６５や洗面台６７が配置される。仕切壁４９に設けられる収納部屋１５への出入口部５５には、スライドドア６９が設けられる。洗面室３５には、廊下２７から出入りするための扉７１が設けられる。従って、収納部屋１５へは、廊下２７から洗面室３５を介して出入りが可能となっている。
【００２６】
図３は、図２に示した間取りの概略斜視図である。
ベッド収納部１７は、収納部屋１５における高床５１と床４３との間に画成される。ベッド収納部１７は、仕切壁４９の下部が除去されて形成される引出開口部７３を有する。ベッド収納部１７は、この引出開口部７３を介して洋室１３に開口する。
【００２７】
また、仕切壁４９には、開閉自在な採光窓７５が設けられる。これにより、収納部屋１５と洋室１３とには、洗面室３５から洋室窓４７の間を自然風が通るようになされている。なお、収納部屋１５には、図示しないが換気扇が設けられることが好ましい。これにより、収納部屋１５は、より湿気がこもりにくくなっている。
【００２８】
洗面室３５は、床４３と同一面である廊下２７から例えば２１０ｍｍ高のステップ７７を有する。洗面室３５の中間床６３は、床４３から例えば４２０ｍｍの高さに設定される。さらに、収納部屋１５の高床５１は、洗面室３５の中間床６３よりも例えば２１０ｍｍ高く設定されている。従って、収納部屋１５の高床５１は、床４３から６３０ｍｍの高さで設けられている。なお、これらの床高は、一例である。
【００２９】
図４は、仕切壁４９を洋室側から見た正面図である。
ベッド１９は、引出開口部７３を塞ぐボード７９を有している。このボード７９は、例えばベッド１９のヘッドボードとなる。ベッド１９は、ボード７９をつかみ、引き出すことにより、ベッド収納部１７から洋室１３へ走行移動が可能となっている。ヘッドボードは、ベッド収納部１７の蓋のようになる。ヘッドボードには、ベッド１９を収納する際に、指を挟まないようにするための好ましい隙間および隙間隠し材（ゴム片等）が、引出開口部７３との間に設定されている。
【００３０】
ベッド１９は、一対のボード７９と、一対のサイドパネル８１（図５）により矩形枠状に形成されるベッド本体８３（図５）に、畳を載置することができる。ベッド１９は、その畳の上に布団を敷くことができる。また、ベッド１９は、畳に代えて底板８５（図５）を備え、その底板８５の上にマット８７（図５）、布団などを載せてもよい。
【００３１】
ベッド１９は、畳ベッドとすることにより、薄いマット８７、敷布団、掛布団等をおいたまま、収納することが可能となる。厚みの大きいマット８７を使用したい場合には、掛布団を布団収納部２１にしまえば、ベッド１９をマット８７とともにベッド収納部１７へ収納することが可能となる。
【００３２】
集合住宅の部屋構造では、畳を載置したベッド１９とすることにより、洋室１３をリビングルーム１１に開放した際、布団を除いてリビングルーム１１の隅に、小上がりとなって座敷コーナーを作ることができる。すなわち、畳敷きベッド１９は、簡単に座敷コーナーを作ることができ、座卓や炬燵等の設置にも利用が可能となる。また、子供の遊戯スペース、仮眠コーナーとすることも可能である。
【００３３】
ベッド収納部１７より上方の仕切壁４９には、開閉扉８９が設けられる。この開閉扉８９は、布団収納部２１を開閉する。布団収納部２１は、収納部屋１５において、高床５１より高いカウンタ用箱体９１（図３、図７）を外殻として形成する。
【００３４】
図５は、ベッド１９の長尺方向に直交する方向の断面図である。
収納部屋１５の床４３には、ベッド１９の下面に設けられた複数の車輪９３を走行方向に案内する一対の平行なガイドレール９５が固定される。一対のガイドレール９５は、ベッド１９を挟む両側に、ベッド１９のサイドパネル８１に平行となって配置される。ベッド１９は、ガイドレール９５に沿ってスムーズな引き出しおよび収納が可能となる。なお、このガイドレールは、床４３ではなく、ベッド収納部１７内における内側壁面に設けることとしてもよく、その場合はベッド１９のサイドパネル８１を支持、案内する構成とする。
【００３５】
図６（ａ）はベッド１９の下面図、図６（ｂ）はベッド１９の側断面図である。
ベッド１９の下面には、例えば左右一対の車輪９３が、走行方向に三対の合計６個が取り付けられる。車輪９３は、直進用とすることができるが、旋回可能なものが取り付けられてもよい。なお、車輪９３の数、取付位置、旋回機能の有無等は、これに限定されない。
【００３６】
図７は、洋室１３、収納部屋１５および洗面室３５の縦断面図である。
洋室１３は、廊下２７に沿う方向の長さが、ベッド１９の長手方向の長さよりも大きく形成され、ベッド１９の出し入れ操作が容易となっている。ベッド収納部１７は、廊下２７に沿う方向の長さが、ベッド１９の長手方向の長さとほぼ同じで、ベッド１９が収納可能となる長さで形成される。そして、収納部屋１５の高床５１には、ベッド収納部１７に通じる点検口９７が設けられる（図２参照）。これにより、ベッド収納部１７は、収納部屋１５の高床５１の上から、点検口９７を介してアクセスが可能となる。
【００３７】
図８（ａ）は図７のＡ−Ａ断面図、図８（ｂ）は図７のＢ−Ｂ断面図、図８（ｃ）は図７のＣ−Ｃ断面図である。
収納部屋１５は、布団収納部２１の上部において、仕切壁４９に採光窓７５が配置される。収納部屋１５は、採光窓７５より下方の仕切壁４９に布団収納部２１が配置される。収納部屋１５の高床５１の中央には、点検口９７が配置される。高床５１は、ベッド１９を挟む両側に設けられた複数の束部材９９により根太１０１（図７）を介して支持される。
【００３８】
次に、上記した構成の作用を説明する。
【００３９】
本実施形態に係る集合住宅の部屋構造では、洋室１３が、可動仕切４５により、リビングルーム１１に対して開放可能となる。洋室１３は、可動仕切４５を閉めれば、個室となり、可動仕切４５を開ければ、リビングルーム１１の一部分となる。
【００４０】
洋室１３は、仕切壁４９を隔てて収納部屋１５と隣接する。リビングルーム１１、洋室１３および収納部屋１５は、同一面の床４３を有する。収納部屋１５は、この床４３に加え、この床４３より高い高床５１を有する。収納部屋１５は、仕切壁以外の壁部５３に出入口部５５を備え、この出入口部５５から高床５１上に出入りして利用が可能となる。
【００４１】
ここで、収納部屋１５は、床４３と、高床５１との間にベッド収納部１７が画成される。すなわち、収納部屋１５は、高床５１の下が、ベッド収納部１７となっている。ベッド収納部１７は、仕切壁４９の下部が除去されて形成される引出開口部７３を介して洋室１３に開口する。
【００４２】
ベッド収納部１７には、ベッド１９が収納される。ベッド１９は、収納部屋１５の床下に収納されるので、ベッド１９の収容に必要な占有面積が、他に利用可能な床面積（この構成では収納部屋１５の床面積）から減じられることがない。つまり、収納部屋１５の高床面積は、ベッド収納部１７の面積を立体的に利用して確保されている。
【００４３】
集合住宅の部屋構造では、ベッド１９が収納できることにより、本来、ベッド１９の設置により寝る以外何もできなかった部屋、すなわち寝室として限定されてしまう部屋が、寝る時以外にも有効活用できるようになる。
【００４４】
ベッド１９は、引出開口部７３を塞ぐボード７９を有する。ベッド１９は、このボード７９を引き出して、ベッド収納部１７から洋室１３へ走行移動可能となる。
【００４５】
これに加え、ベッド収納部１７より上方の仕切壁４９には、布団収納部２１の開閉扉８９が設けられる。この布団収納部２１へは、開閉扉８９を開くことにより、洋室１３から寝具類の出し入れが可能となる。布団収納部２１は、収納部屋１５において、高床５１より高いカウンタ用箱体９１を外殻として形成する。すなわち、布団収納部２１は、収納部屋１５においては、高床面に直置きしたくないバッグ１０３等（図７）を上面に載置できるカウンタ用箱体９１となる。この布団収納部２１は、高床５１の上に積層配置されるので収納部屋１５の床面積に含めることができる。
【００４６】
このように、集合住宅の部屋構造では、リビングルーム１１に隣接する洋室１３が、同じ床面で構成され、開放した際には１つの部屋のように使える。一方、洋室１３は、可動仕切４５によりリビングルーム１１との境を閉ざすことで別室となり、寝室となる。そして、洋室１３の仕切壁４９にはベッド収納部１７が開口するので、洋室１３を寝室として使用した際のベッド１９を容易に隠すことができる。
【００４７】
また、洋室１３は、ベッド１９を収納することにより、洗濯物を干すスペースとしても利用できる。すなわち、ベッド１９を収納することにより、ベッド１９が邪魔にならずに、使い勝手の良い十分な物干しスペースを確保できる。多量の洗濯物が干せる。布団も干すことができるようになる。ベッド１９の上で物を干した場合、干しづらさがある。これに対し、本考案の集合住宅の部屋構造によれば、ベッド１９を仕舞えることで、干しやすくなる。また、その際、可動仕切４５により洗濯物が干された洋室１３をリビングルーム１１から隠すこともできる。
【００４８】
さらに、洋室１３は、ベッド１９を収納することにより、敷マット等を広げて、洋室床面全体を子供の運動スペースとしても利用が可能となる。
【００４９】
集合住宅の部屋構造では、洋室１３、寝室、収納部屋１５という別々のレイアウトを、平面配置ではなく、立体的にまとめるので、収納部屋１５のスペースを十分に確保できる。その際、ベッド１９のみを収納する従来構成に比べ、掛け布団や枕などの寝具類の収納部分も同時に確保できる。従って、集合住宅の部屋構造では、間取りとしてコンパクトながら、広いリビングルーム１１、寝室兼洋室、収納部屋１５を配置でき、使い勝手の良いものとすることができる。
【００５０】
そして、この集合住宅の部屋構造では、ベッド１９の車輪９３を案内するガイドレール９５が、ベッド収納部１７の床４３に設けられる。ベッド１９は、走行方向がガイドレール９５に沿うので、ベッド収納部１７から洋室１３、および洋室１３からベッド収納部１７への移動が直線方向に規制される。これにより、多段伸縮レール等の複雑なレール構造を採用することなく、ベッド１９の円滑な出し入れを可能にできる。また、収納部屋１５の高床５１に点検口９７が設けられることにより、点検口９７からベッド収納部１７の内部を覗くことや、内部へのアクセスも可能にできる。その結果、ベッド１９の引き出しおよび収納を容易にでき、ベッド収納部１７に落下した物の取り出しも容易にできる。
【００５１】
また、この集合住宅の部屋構造では、採光窓７５から、リビングルーム１１や洋室１３からの光を、収納部屋１５に取り込むことが可能となる。採光窓７５を開放することにより、洋室１３の窓４１、収納部屋１５の出入口部５５との間に自然風を通すことが可能となり、洋室１３および収納部屋１５に空気がこもらなくなる。その結果、収納部屋１５に光を採り入れることができるのに加え、風通し（換気）も良好にできる。
【００５２】
さらに、この集合住宅の部屋構造では、収納部屋１５に、壁部５３を介して洗面室３５が隣接して配置される。壁部５３には、洗面室３５から収納部屋１５へ出入りするための出入口部５５が設けられる。ここで、洗面室３５の中間床６３は、床４３よりも高く、収納部屋１５の高床５１よりも低い。これにより、収納部屋１５は、床４３からの高さを分割できる。
【００５３】
これに加え、洗面室３５を中間床６３として、床４３よりも高くしたので、中間床６３と床４３との間に、水回りの配管スペースを確保できる。この場合、洗面室３５は、床４３のみの場合に比べ、中間床６３を設けたことにより、上下寸法を大きくとれるので、狭い面積であっても水勾配を確実に確保できるようになる。すなわち、洗面室３５の場合は、床４３を設ける必要がなく、中間床６３からスラブ１０５（図４、図７）までが床下の懐寸法となる。さらに、採光窓７５からの風を、収納部屋１５の出入口部５５を介して水回りの多い洗面室３５に通せるようにもなる。その結果、床４３と、収納部屋１５の高床５１との高さを分割できるのに加え、洗面室３５に、水回り配管用の配管スペースも十分に確保でき、水回りの通気性も良好にすることができる。
【００５４】
従って、本実施形態に係る集合住宅の部屋構造によれば、ベッド収納部１７の面積を他の部屋の床面積として使え、かつ布団収納部２１も積層配置して他の部屋の床面積に含めることができる。
【符号の説明】
【００５５】
１１…リビングルーム
１３…洋室
１５…収納部屋
１７…ベッド収納部
１９…ベッド
２１…布団収納部
３５…洗面室
４３…床
４５…可動仕切
４９…仕切壁
５１…高床
５３…壁部
５５…出入口部
６３…中間床
７３…引出開口部
７５…採光窓
７９…ボード
８９…開閉扉
９１…カウンタ用箱体
９３…車輪
９５…ガイドレール
９７…点検口
【手続補正２】
【補正対象書類名】実用新案登録請求の範囲
【補正対象項目名】全文
【補正方法】変更
【補正の内容】
【実用新案登録請求の範囲】
【請求項１】
リビングルームと、
前記リビングルームの床と連続した同一面の床を有し、可動仕切により前記リビングルームに開放可能に仕切られる洋室と、
前記洋室に仕切壁を介して隣接し前記床と同一面の床を有するとともに、この床より高い高床を有し前記仕切壁以外の壁部に出入口部を備える収納部屋と、
前記高床と前記床との間に画成され、前記仕切壁の下部が除去されて形成される引出開口部を有して前記洋室に開口するベッド収納部と、
前記引出開口部を塞ぐボードを有し、前記ボードを引き出して前記ベッド収納部から前記洋室へ走行移動されるベッドと、
前記ベッド収納部より上方の前記仕切壁に開閉扉が設けられ、前記収納部屋では前記高床より高いカウンタ用箱体を外殻として形成する布団収納部と、
を具備することを特徴とする部屋構造を備えた集合住宅。
【請求項２】
請求項１に記載の部屋構造を備えた集合住宅であって、
前記収納部屋の前記床には、前記ベッドの下面に設けられた複数の車輪を走行方向に案内する平行な一対のガイドレールが、前記ベッドを挟む両側に固定され、
前記収納部屋の前記高床には、前記ベッド収納部に通じる点検口が設けられていることを特徴とする集合住宅。
【請求項３】
請求項１または２に記載の部屋構造を備えた集合住宅であって、
前記仕切壁には開閉自在な採光窓が設けられることを特徴とする集合住宅。
【請求項４】
請求項１〜３のいずれか１つに記載の部屋構造を備えた集合住宅であって、
前記収納部屋の出入口部には、前記床よりも高く前記高床よりも低い中間床を有する洗面室が前記壁部を介して隣接することを特徴とする集合住宅。